(57)【要約】      （修正有）【課題】販売時においては商品を陳列する機能を有すると共に、購入後は包装用袋の一部をケースとして継続的に使用することが可能である包装用袋を、製造しやすい簡単な構成で提供する。【解決手段】ファスナー部３と折返部２ａと第一の融着部２ｄと第二の融着部２ｅの間で品物を収容する袋部６を形成した本体部５を構成し、フィルム部材２の上辺と第二の融着部２ｅの間をヘッダー部２ｇとし、ヘッダー部２ｇに包装用袋１を陳列棚のフックへ吊り下げる吊下孔２ｈを設け、ヘッダー部２ｇを切り離すことで、本体部５が品物のケースとなる。【選択図】図３
0003156334.tif 000002
【実用新案登録請求の範囲】
【請求項１】
透明樹脂材からなる矩形状のフィルム部材の一辺と他辺とに雄型ファスナーと雌型ファスナーとをそれぞれ設け、前記フィルム部材を折返部にて折り返すことにより前記雄型ファスナーと雌型ファスナーとを重ねてファスナー部を構成し、前記ファスナー部を開閉自在とするスライダーを当該ファスナー部に付設し、前記フィルム部材の下辺に前記ファスナー部側と折返部側とを横架する第一の融着部を設けて前記重ねたフィルム部材を融着し、前記フィルム部材の上辺から離間した位置で且つ前記スライダーの上方位置に前記ファスナー部側と折返部側とを横架する第二の融着部を設けて前記重ねたフィルム部材を融着し、前記ファスナー部と折返部と第一の融着部と第二の融着部の間で品物を収容する袋部を形成した本体部を構成し、前記フィルム部材の上辺と前記第二の融着部の間をヘッダー部とし、前記ヘッダー部に前記包装用袋を陳列棚のフックへ吊り下げる吊下孔を設け、前記ヘッダー部を切り離すことで、前記本体部が前記品物のケースとなることを特徴とする包装用袋。
【請求項２】
前記雄型ファスナーと雌型ファスナーを、前記フィルム部材の一辺および他辺の全長に渡り融着した雄型ファスナー部材と雌型ファスナー部材で形成したことを特徴とする請求項１に記載の包装用袋。
【請求項３】
前記スライダーが、前記ファスナー部の上方へ移動する際に前記ファスナー部を閉じ、下方へ移動する際に前記ファスナー部を開くことを特徴とする請求項１または２に記載の包装用袋。
【請求項４】
前記第二の融着部の上部近傍または該第二の融着部に、前記フィルム部材を貫通し且つ前記ファスナー部側と折返部側とを横架するミシン目を設け、当該ミシン目にて前記包装用袋をヘッダー部と本体部とに切り分けできることを特徴とする請求項１ないし請求項３のいずれか１項に記載の包装用袋。
【請求項５】
前記包装用袋のヘッダー部と本体部との境界部に切取線を設け、且つ当該切取線の近傍にハサミ模様の印刷部を設けたことを特徴とする請求項１ないし請求項４のいずれか１項に記載の包装用袋。
【考案の詳細な説明】
【技術分野】
【０００１】
本考案は、品物を包装する包装用袋に係り、例えば筆記具などの小物商品を店舗の陳列棚のフックバーに設置されたフックに吊り下げて販売するのに好適な包装用袋に関する。
【背景技術】
【０００２】
従来より筆記具などの小物商品はあらかじめ包装された状態で販売されることが多く、中身の商品を見ることができ価格的にも安いことから、透明な樹脂製のフィルムで形成した包装用袋に入れて販売されることが多い。特に商品を複数セットで販売する場合には、簡単にセット商品をまとめることができることから包装用袋がよく用いられる。
【０００３】
前述の包装用袋では、例えば図５に示すように、フィルム部材１２で形成した包装用袋１１のヘッダー部１２ｇに吊下孔１２ｈを設けて陳列棚のフックに吊り下げられるようにしてあることが多く、また袋部１６の下方部で裏フィルム１２ｃと裏側で重なり合うようにした表フィルム１２ｂの延長部１２ｉに設けた粘着部Ｎをはがすことにより、中身の品物３０を取り出せるようにしたものが多い。しかしながら、購入者が品物３０を収容していた包装用袋１１でケースとしての再利用を考えた場合には、袋部１６から品物３０の出し入れを繰り返し行っている内に、袋部６を閉じるための粘着部Ｎが劣化して表フィルム１２ｂの延長部１２ｉが閉じられなくなるという問題が生じた。
このため、例えば登実３０１５７６４号公報や特開２００６−１４３２３６号公報に記載されているように、包装用袋に開閉自在なファスナー部を設けて、繰り返しの開閉を行えるようにしたものが存在している。このファスナー部を有した包装用袋は、前記登実３０１５７６４号公報や特開２００６−１４３２３６号公報に記載されているように、袋部の上方位置にファスナー部を設けてあり、また特開２００７−２９０７７６号公報に記載されているように、吊下孔を設けてあるファスナー部（チャック）の上方部を切り取ることにより、保存したり携行したりするのに便利なケースとしての利用ができるものである。
【０００４】
ところで前述の先行文献に記載してある包装用袋は、ファスナーを開閉するためにファスナー部の端から端まで指で開閉する必要があり、頻繁に開閉する場合には手間がかかる。そのため特開平７−１３２９４２号公報に記載があるようにファスナーを開閉するためのスライダーを設けた構造が好ましいが、ファスナー部が袋部の上方部に設けられ、ファスナー部のさらに上方部には吊下孔を形成するためのヘッダー部を設けてあることから、ヘッダー部が邪魔となってしまいスライダーを付設することが難しく、例えば特開２００６−７６６１９号公報のような特殊構造とする必要があり、安価に製造するのに不都合があった。
【特許文献１】登実３０１５７６４号公報
【特許文献２】特開２００６−１４３２３６号公報
【特許文献３】特開２００７−２９０７７６号公報
【特許文献４】特開平７−１３２９４２号公報
【特許文献５】特開２００６−７６６１９号公報
【考案の概要】
【考案が解決しようとする課題】
【０００５】
本考案は、販売時においては商品を陳列する機能を有すると共に、購入後は包装用袋の一部をケースとして継続的に使用することが可能である包装用袋を、製造しやすい簡単な構成で手に入れることを目的としている。
【課題を解決するための手段】
【０００６】
本考案は、
「１．透明樹脂材からなる矩形状のフィルム部材の一辺と他辺とに雄型ファスナーと雌型ファスナーとをそれぞれ設け、前記フィルム部材を折返部にて折り返すことにより前記雄型ファスナーと雌型ファスナーとを重ねてファスナー部を構成し、前記ファスナー部を開閉自在とするスライダーを当該ファスナー部に付設し、前記フィルム部材の下辺に前記ファスナー部側と折返部側とを横架する第一の融着部を設けて前記重ねたフィルム部材を融着し、前記フィルム部材の上辺から離間した位置で且つ前記スライダーの上方位置に前記ファスナー部側と折返部側とを横架する第二の融着部を設けて前記重ねたフィルム部材を融着し、前記ファスナー部と折返部と第一の融着部と第二の融着部の間で品物を収容する袋部を形成した本体部を構成し、前記フィルム部材の上辺と前記第二の融着部の間をヘッダー部とし、前記ヘッダー部に前記包装用袋を陳列棚のフックへ吊り下げる吊下孔を設け、前記ヘッダー部を切り離すことで、前記本体部が前記品物のケースとなることを特徴とする包装用袋。
２．前記雄型ファスナーと雌型ファスナーを、前記フィルム部材の一辺および他辺の全長に渡り融着した雄型ファスナー部材と雌型ファスナー部材で形成したことを特徴とする１項に記載の包装用袋。
３．前記スライダーが、前記ファスナー部の上方へ移動する際に前記ファスナー部を閉じ、下方へ移動する際に前記ファスナー部を開くことを特徴とする１項または２項に記載の包装用袋。
４．前記第二の融着部の上部近傍または該第二の融着部に、前記フィルム部材を貫通し且つ前記ファスナー部側と折返部側とを横架するミシン目を設け、当該ミシン目にて前記包装用袋をヘッダー部と本体部とに切り分けできることを特徴とする１項ないし３項のいずれか１項に記載の包装用袋。
５．前記包装用袋のヘッダー部と本体部との境界部に切取線を設け、且つ当該切取線の近傍にハサミ模様の印刷部を設けたことを特徴とする１項ないし４項のいずれか１項に記載の包装用袋。」である。
【０００７】
本考案における包装用袋を形成する樹脂製のフィルム部材は、従来から用いられているポリプロピレン、ポリエチレン、ポリエステル、塩化ビニルフイルムなどで透明性が高く内部の商品が見やすいものを使用することが好ましく、フィルム部材の熱融着による加工性を考慮すると熱可塑性樹脂を使用することが好ましい。
またファスナー部は、フィルム部材と同様に樹脂材で形成した雄型ファスナー部材と雌型ファスナー部材を融着や接着でフィルム部材に固着して設けることができ、フィルム部材と同様に熱可塑性樹脂により成型したものはフィルム部材に対して融着が行えることから加工性がよい。
またファスナー部に付設するスライダーは従来公知の構造のものを使用することができ、材質としては高密度ポリエチレン、ポリオキシメチレン、ポリアミドなどのプラスチックで成形したものを用いることができる。
【０００８】
また、フィルム部材の融着方法としては、高周波溶着や超音波溶着などの一般的なフィルムを融着する方法を適宜採用すればよい。本考案では第一の融着部と第二の融着部をファスナー部に形成することにより、当該融着部がファスナー部におけるスライダーのストッパーとなり、スライダーがファスナー部の端から抜け落ちてしまうことを防止できる。
また、第二の融着部の巾に限定はないが、融着部の巾を広くしたり、あるいはヘッダー部の全域を融着した構造とすることにより、ヘッダー部を本体部から切り離す際に、第二の融着部に切断部がおよんでしまっても、袋部の上部が開いてしまうことを防止できる構造となる。
さらに、第二の融着部の上部近傍または第二の融着部の巾内に、フィルム部材の表裏を貫通しファスナー部側と折返部側とを横架させたミシン目を設けることにより、ミシン目にて包装用袋をヘッダー部と本体部とで容易に分割することができるものとなる。尚、本考案の包装用袋の本体部とは、少なくともファスナー部と折返部と第一の融着部と第二の融着部とで形成した袋部の全てを有したものである。
【０００９】
また、雄型ファスナーと雌型ファスナーを、フィルム部材の一辺および他辺の全長に渡り融着した雄型ファスナー部材と雌型ファスナー部材で形成することにより、包装用袋における本体部のみならずヘッダー部にまでファスナー部が存在し、ファスナー部が薄いフィルム部材のリブとしての役割になるので、品物を収容していない状態の包装用袋の単体としての強度を得られると共に、フィルム部材の全長に渡り雄型ファスナー部材と雌型ファスナー部材を融着させる構造とすることで、長尺のフィルムに対して同じく長尺の雄型ファスナー部材と雌型ファスナー部材をあらかじめ融着させて捲回させておき、包装用袋に収容させる品物の長さに応じて長さをカットして製造することができるものとなり、製造上の利便性を得ることができる。
【００１０】
また、スライダーがファスナー部の上方へ移動する際にファスナー部を閉じ、スライダーが下方へ移動する際にファスナー部を開く構造とすることにより、陳列状態でスライダーが若干開いてしまっても品物が脱落してしまうことを防ぐことができる。
また、包装用袋のヘッダー部と本体部との境界部に切取線を設けることで、切り取り箇所を誤って切ってしまい、袋部の上部を開放してしまうということを防げると共に、切取線上にハサミ模様の印刷部を設けることで、購入者が包装用袋をケースとして再利用できることを認識しやすいものとなる。
【考案の効果】
【００１１】
本考案によれば、販売時においては商品を陳列する機能を有すると共に、購入後は開閉が容易なケースとして継続的に使用することが可能である包装用袋を、製造しやすい簡単な構成で手に入れることが可能となった。
【図面の簡単な説明】
【００１２】
【図１】図１は本実施例の包装用袋に品物を入れて陳列棚のフックへ吊り下げた状態の図である。
【図２】図２は本実施例の包装用袋のスライダーを操作している状態の図である。
【図３】図３は本実施例の包装用袋のヘッダー部を切り取っている状態の図である。
【図４】図４は本実施例の包装用袋のヘッダー部を切り取ってケースとして使用している状態の図である。
【図５】従来の包装用袋から品物を抜き取る状態の図である。
【考案を実施するための形態】
【００１３】
販売時においては商品を陳列する機能を有すると共に、購入後は開閉が容易なケースとして継続的に使用することが可能で、製造しやすい簡単な構成の包装用袋を実現した。
【実施例】
【００１４】
次に図面を参照しながら本実施例について説明を行う。以下、図面を参照して本考案の実施例を説明する。図面中の同じ部材、同じ部品については同じ番号を付してある。本実施例の説明においては図面の下側を下方と表現し、反対側を上方と表現する。
図１は本実施例の包装用袋に品物を入れて陳列棚のフックへ吊り下げた状態の図で、図２は本実施例の包装用袋のスライダーを操作している状態の図である。本実施例の包装用袋１は、透明な樹脂製のフィルム部材２を折返部２ａで折り返して矩形状に形成してあり、図２に示すように、折り返したフィルム部材２の表面側２ｂの内側に雄型ファスナー部材３ａを融着しフィルム部材２の裏面側２ｃの内側に雌型ファスナー部材３ｂを融着してファスナー部３を形成し、雄型ファスナー部材３ａと雌型ファスナー部材３ｂとをファスナー部材３に付設したスライダー４で開閉自在にしてある。本実施例では、スライダー４を上方へ移動させることでファスナー部３が閉じ、下方へ移動させることでファスナー部３が開くようにしてある。
【００１５】
また、折返部２ａで折り返したフィルム部材２の下辺は、溶断すると共に融着させたファスナー部３側と折返部２ａ側とを横架する第一の融着部２ｄを設けてあり、フィルム部材２の上辺から離間した位置でスライダー４の上方となる位置には、ファスナー部３側と折返部２ａ側とを横架する第二の融着部２ｅを設けて重ねたフィルム部材２の表面側２ｂと裏面側２ｃとを融着してある。したがって、包装用袋１の本体部５は、フィルム部材２の折返部２ａとファスナー部３と第一の融着部２ｄと第二の融着部２ｅとで形成した袋部６を有し、袋部６にボールペン１０とボールペン２０とをそれぞれ２本ずつ収容させてある。また、フィルム部材２の上辺は、溶断すると共に融着させて、ファスナー部３側と折返部２ａ側とを横架する第三の融着部２ｆを形成してあり、この第三の融着部２ｆと前記第二の融着部２ｅとの間にヘッダー部２ｇを設けてある。ヘッダー部２ｇには吊下孔２ｈを穿孔して、図１に示すように陳列棚のフックバー１００に掛止させたフック１０１の引掛部１０２を吊下孔２ｈに挿通させて包装用袋１を吊り下げるようにしてある。
【００１６】
図に示すように本実施例では、雄型ファスナー部材３ａおよび雌型ファスナー部材３ｂをフィルム部材２の上下方向の全長に渡り融着してファスナー部３を設けてあり、第一の融着部２ｄにて本体部５の下方にストッパー７を形成し、第二の融着部２ｅにて本体部５の上方にストッパー８を形成し、スライダー４がファスナー部３の端から脱落してしまうことを防止させている。また本実施例では、店頭での陳列時における不正を防止するため図１に示すように、スライダー４の下方に操作防止用のシールＲを貼って、販売時におけるファスナー部３の開放を防止した。購入後は図２に示すように、シールＲを剥がすことでスライダー４の操作ができる。
【００１７】
次に図３を用いてヘッダー部を切り取る際について説明を行う。本実施例では、図２に示すようにヘッダー部２ｇと本体部５との境界部に切り取り箇所を示す破線状の切取線Ｌを印刷してあり、切取線Ｌ上にはハサミの模様である印刷部Ｍを設けてあり、図３に示すようにハサミ２００で切り取りを行う際の目印としてある。ヘッダー部２ｇを切り取った包装用袋の本体部５は、図４に示すように上方にヘッダー部２ｇを若干残しながらもケース９として使用でき、スライダー４をファスナー部３の下まで下げて袋部６を開き、図１で示したボールペン２０を収容できる。スライダー４を操作することで袋部６を繰り返し開閉することができ、ケース９の袋部６の内部へ品物の出し入れを容易に行うことができるものとなった。
【産業上の利用可能性】
【００１８】
本考案の包装用袋は、筆記具以外の品物でも、陳列棚のフックに吊り下げられる程度の大きさの商品であれば適用させることができる。
【符号の説明】
【００１９】
１…包装用袋、
２…フィルム部材、２ａ…折返部、２ｂ…表面側、２ｃ…裏面側、
２ｄ…第一の融着部、２ｅ…第二の融着部、
２ｆ…第三の融着部、２ｇ…ヘッダー部、２ｈ…吊下孔、
３…ファスナー部、３ａ…雄型ファスナー部材、３ｂ…雌型ファスナー部材、
４…スライダー、５…本体部、６…袋部、
７，８…ストッパー、９…ケース、
Ｌ…切取線、Ｍ…ハサミの模様、Ｒ…シール、
１０，２０…ボールペン、
１００…フックバー、１０１…フック、１０２…引掛部。
【図１】
0003156334.tif 000003
【図２】
0003156334.tif 000004
【図３】
0003156334.tif 000005
【図４】
0003156334.tif 000006
【図５】
0003156334.tif 000007